(57)【特許請求の範囲】
【請求項１】
空気導出路を形成する筒体と、前記筒体の内部に回動可能に支持されて同筒体の先端側の吹出口を開閉する複数枚の第１の風向調整板（１２，１３）と、前記各第１の風向調整板（１２，１３）を互いに連結して同風向調整板（１２，１３）を連動して同一方向へ回動させる連結部材を備え、前記各第１の風向調整板（１２，１３）を、前記筒体の軸線に対して互いに略平行となる並列状態と互いに略直交となる直列状態との範囲の間で回動調整することにより、前記筒体の吹出口を開放して吹出される空気流の吹出し方向を調整する配風機能、および、前記筒体の吹出口を閉鎖して空気流の吹出しを遮断する風遮断機能を発揮する車室内用空気吹出装置であり、
当該空気吹出装置は、前記各第１の風向調整板（１２，１３）のうち、閉鎖状態にある前記吹出口を開放すべく回動する際に先端縁が前記筒体の内壁面から漸次離間する第１の風向調整板（１３）の背面側に所定間隔を保持して固定した第２の風向調整板（１５）を備え、
当該第２の風向調整板（１５）は当該第１の風向調整板（１３）の背面側に位置して当該第１の風向調整板（１３）の回動中心を中心に当該第１の風向調整板（１３）と一体に回動して、当該第１の風向調整板（１３）の先端縁と前記筒体の内壁面間に形成される隙間を遮蔽すべく機能するもので、
当該第１および第２の風向調整板（１３，１５）の回動中心は当該第１および第２の風向調整板（１３，１５）の間の空間内にあって、当該第１および第２の両風向調整板（１３，１５）が前記筒体の軸線に対して互いに略平行となるときの当該第１および第２の風向調整板（１３，１５）の前記筒体の下流側への突出量が略同じになるように構成されていることを特徴とする車室内用空気吹出装置。
【請求項２】
請求項１に記載の車室内用空気吹出装置であり、
当該第２の風向調整板（１５）は、当該第１の風向調整板（１３）に対して所定間隔を保持した平行状態に位置し、
当該第２の風向調整板（１５）による当該第１の風向調整板（１３）の先端縁と前記筒体の内壁面間に形成される隙間の遮蔽機能は、前記各第１の風向調整板（１２，１３）が前記筒体の軸線に対して互いに略直交する直列状態にあって空気流の吹出しを遮断している状態から前記筒体の軸線に対して互いに略平行となる並列状態に回動するほど減少することを特徴とする車室内用空気吹出装置。
【請求項３】
請求項１または２に記載の車室内用空気吹出装置であり、
当該空気吹出装置は、前記筒体内に前記各風向調整板（１２，１３，１５）を支持して形成してなる円筒状のインナレジスタと、前記インナレジスタを嵌合された状態で円周方向に間欠的に回転可能に受承する円筒状のリテーナからなり、
前記インナレジスタを前記リテーナ内にて円周方向へ間欠的に回転して位置調整することにより、前記インナレジスタからの風向きを上方向、下方向、右方向および左方向へ選択的に調整可能に構成されていることを特徴とする車室内用空気吹出装置。
【発明の詳細な説明】
【技術分野】
【０００１】
本発明は、センタレジスタ、サイドレジスタ、ロアレジスタ、サイドデフロスタ等、車室内用空気吹出装置に関する。
【背景技術】
【０００２】
車室内用空気吹出装置の一形式として、空気導出路を形成する筒体と、前記筒体の内部に回動可能に支持されて同筒体の先端側の吹出口を開閉する複数枚の風向調整板と、前記各風向調整板を互いに連結して同風向調整板を連動して同一方向へ回動させる連結部材を備え、前記各風向調整板を、前記筒体の軸線に対して互いに略平行となる並列状態と互いに略直交となる直列状態との範囲に回動調整することにより、前記筒体の吹出口を開放して吹出される空気流の吹出し方向を調整する配風機能、および、前記筒体の吹出口を閉鎖して空気流の吹出しを遮断する風遮断機能を発揮する形式の車室内用空気吹出装置がある。当該形式の車室内用空気吹出装置の一形態は、すでに特許出願されている（特許文献１を参照）。
【０００３】
上記した特許文献にて提案されている車室内用空気吹出装置は、例えば、３枚の風向調整板が採用されていて、３枚の風向調整板の全てが互いに連結されている。当該車室内用空気吹出装置においては、円筒状の筒体の内部に回動可能に支持されている各風向調整板は、連結部材を介して互いに連結されていて、各風向調整板が全て連動して回動するように構成されている。
【０００４】
当該車室内用空気吹出装置においては、各風向調整板は、筒体の軸線に対して互いに略直交となる直列状態にあっては、筒体の先端側の開口部を閉鎖して風遮断機能を発揮していて、この状態にある各風向調整板の一つを筒体の内側へ押動することにより、風向調整板の全てが連動して回動中心を中心に回動し、最大限、筒体の軸線に対して互いに略平行となる並列状態にまで回動する。従って、当該車室内用空気吹出装置においては、乗員が全ての風向調整板を回動して、その回動量を適宜調整すれば、各風向調整板によって風向き方向を所望の方向に調整することができる。
【特許文献１】特開２０００−２０３２５４号公報
【発明の開示】
【発明が解決しようとする課題】
【０００５】
このように、当該車室内用空気吹出装置においては、全ての風向調整板の並列状態での回動量を適宜調整すれば、筒体の先端側の吹出口を開放し、吹出口から吹出される空気流（風）の吹出し方向（風向き）を、各風向調整板によって調整することができるが、この場合、一方側に位置する風向調整板の先端縁と筒体の内壁面間には、当然のことながら隙間が形成され、当該隙間からも空気流が吹出される。当該空気流は、筒体の内壁面の影響を受けて筒体の軸方向に対して平行状態で直進し、各風向調整板の作用にて調整された風向きを相殺することになる。このため、筒体の先端側の開口から直進方向に吹出す空気流は、各風向調整板の作用によって調整された風向きを妨げて、折角調整された風向きが変更されて、乗員が所望する風向きとはならいことになる。
【０００６】
当該車室内用空気吹出装置においては、当該隙間は、風向調整板の回動動作によって不可避的に形成されるものであって、風向調整板の回動量に応じて漸次拡大する。当該風向調整板は、筒体の閉鎖状態にある吹出口を開放すべく回動する際に、その先端縁が筒体の内壁面から漸次離間すべく動作することから、当該隙間の形成を防止することは不可能である。
【０００７】
従って、本発明の目的は、このような問題に対処することにあり、特に、本発明においては、上記した各風向調整板とは異なる第２の風向調整板を採用して、同第２の風向調整板によって、当該隙間を、必要時には可能な限り遮蔽することによって、かかる問題に対処するものである。
【課題を解決するための手段】
【０００８】
本発明は、車室内用空気吹出装置に関する。本発明が適用対象とする車室内用空気吹出装置は、空気導出路を形成する筒体と、前記筒体の内部に回動可能に支持されて同筒体の先端側の吹出口を開閉する複数枚の風向調整板と、前記各風向調整板を互いに連結して同風向調整板を連動して同一方向へ回動させる連結部材を備え、前記各風向調整板を、前記筒体の軸線に対して互いに略平行となる並列状態と互いに略直交となる直列状態との範囲の間で回動調整することにより、前記筒体の吹出口を開放して吹出される空気流の吹出し方向を調整する配風機能、および、前記筒体の吹出口を閉鎖して空気流の吹出しを遮断する風遮断機能を発揮する形式の車室内用空気吹出装置である。
【０００９】
しかして、本発明では、前記各風向調整板を第１の風向調整板（１２，１３）と定義し、本発明に係る車室内用空気吹出装置においては、前記各第１の風向調整板（１２，１３）のうち、閉鎖状態にある前記吹出口を開放すべく回動する際に先端縁が前記筒体の内壁面から漸次離間する第１の風向調整板（１３）の背面側に所定間隔を保持して固定した第２の風向調整板（１５）を備え、当該第２の風向調整板（１５）は当該第１の風向調整板（１３）の背面側に位置して当該第１の風向調整板（１３）の回動中心を中心に当該第１の風向調整板（１３）と一体に回動して、当該第１の風向調整板（１３）の先端縁と前記筒体の内壁面間に形成される隙間を遮蔽すべく機能するもので、当該第１および第２の風向調整板（１３，１５）の回動中心は当該第１および第２の風向調整板（１３，１５）の間の空間内にあって、当該第１および第２の風向調整板（１３，１５）が前記筒体の軸線に対して互いに略平行となるときの当該第１および第２の風向調整板（１３，１５）の前記筒体の下流側への突出量が略同じになるように構成されていることを特徴とするものである。但し、上記した用語に付した符号は、添付図面において使用した符号を援用している。
【００１０】
本発明に係る車室内用空気吹出装置においては、当該第２の風向調整板（１５）を、当該第１の風向調整板（１３）に対して所定間隔を保持した平行状態に位置させて、当該第２の風向調整板（１５）による当該第１の風向調整板（１３）の先端縁と前記筒体の内壁面間に形成される隙間の遮蔽機能を、前記各第１の風向調整板（１２，１３）が前記筒体の軸線に対して互いに略直交する直列状態にあって空気流の吹出しを遮断している状態から前記筒体の軸線に対して互いに略平行となる並列状態に回動するほど減少するようにすることができる。
【００１１】
本発明に係る車室内用空気吹出装置においては、好ましくは、前記筒体に前記各風向調整板（１２，１３）を支持して円筒状のインナレジスタを構成するとともに、同インナレジスタを、円筒状のリテーナ内に嵌合して同リテーナに嵌合された状態で円周方向に間欠的に回転可能に受承する構成として、前記インナレジスタを前記リテーナ内にて円周方向へ間欠的に回転して位置調整することにより、風向きを上方向、下方向、右方向および左方向へ選択的に調整可能にすることができる。
【発明の効果】
【００１２】
本発明に係る車室内用空気吹出装置においては、従来のこの種形式の車室内用空気吹出装置と同様に、各第１の風向調整板（１２，１３）は、筒体の軸線に対して互いに略直交する直列状態にあっては、筒体の先端側の開口部である吹出口を閉鎖して風遮断機能を発揮し、また、この状態にある各第１の風向調整板（１２，１３）の一つを筒体の内側へ押動することにより、各風向調整板（１２，１３）の全てが連動して並列状態で漸次回動して、最大限、筒体の軸線に対して互いに略平行となる並列状態になる。この間、各第１の風向調整板（１２，１３        ）の並列状態での回動量を適宜調整することにより、筒体の先端側の吹出口から吹出する空気流（風）を、乗員が所望する方向に指向させることができる。換言すれば、各第１の風向調整板（１２，１３）は、配風機能を発揮する。
【００１３】
しかして、本発明に係る車室内用空気吹出装置が有する当該第２の風向調整板（１５）は、各第１の風向調整板（１２，１３）が吹出口を閉鎖している直列状態にあっては、固定されている当該第１の風向調整板（１３）の背面側にて、当該第１の風向調整板（１３）とは所定間隔を保持した平行状態に位置している。このような状態で位置している当該第２の風向調整板（１５）は、当該第１の風向調整板（１３）の回動時には、当該第１の風向調整板（１３）の回動中心を中心にこれと平行状態を保持して一体的に回動し、当該第１の風向調整板（１３）の背面側にてこれと同様に、当該第２の風向調整板（１５）の先端縁が回動量に応じて筒体の内壁面から漸次離間して、先端縁と筒体の内壁面間に漸次隙間を形成する。当該隙間は、当該第２の風向調整板（１５）の回動量に応じて増大する。
【００１４】
このように、当該第２の風向調整板（１５）は、各第１の風向調整板（１２，１３）の回動時には、当該第１の風向調整板（１３）の回動中心を中心に、当該第１の風向調整板（１３）の背面側にてこれと平行状態を保持して回動する。この結果、当該第２の風向調整板（１５）は当該第１の風向調整板（１３）と同様に、その先端縁が回動量に応じて筒体の内壁面から漸次離間して、その先端縁と内壁面に隙間を形成することになる。
【００１５】
しかしながら、当該第２の風向調整板（１５）は、当該第１の風向調整板（１３）の背面側に所定間隔を保持して位置して、当該第１の風向調整板（１３）の回動中心を中心にこれと一体に回動することから、当該第２風向調整板（１５）の先端縁が筒体の内壁面から離間する量（形成される隙間）は、当該第１の風向調整板（１３）と同一の回動量（同一の回動角度）である場合、当該第１の風向調整板（１３）の先端縁が筒体の内壁面から離間する量（形成される隙間）に比較して小さくなる。
【００１６】
このため、当該第２の風向調整板（１５）は、各第１の風向調整板（１２，１３）が筒体の軸線に対して平行な並列状態になるまでの間、当該第１の風向調整板（１３）の先端縁と筒体の内壁面間に形成される隙間を遮蔽すべく機能する。当該第２の風向調整板（１５）の、当該第１の風向調整板（１３）が形成する隙間を遮蔽する機能は、各第１の風向調整板（１２，１３）の回動初期であってその回動量が小さい場合には大きくて当該隙間をほぼ遮蔽し、各第１の風向調整板（１２，１３）の回動量に応じて当該隙間の遮蔽機能が漸次低下する。
【００１７】
当該第１の風向調整板（１３）が形成する隙間は、筒体の先端側の吹出口から吹出される空気流（風）を直進すべく指向させ、直進する空気流は、各第１の風向調整板（１２，１３）にて指向された空気流と衝突して、当該空気流の指向された方向への流れを大きく妨げ、調整された風向きを大きく変更すべく作用する。しかしながら、本発明に係る車室内用空気吹出装置においては、上記したように、当該第２の風向調整板（１５）が、当該第１の風向調整板（１３）の回動量に応じて当該隙間を遮蔽する。すなわち、当該第２の風向調整板（１５）は、各第１の風向調整板（１２，１３）の回動量が小さくて風向きを大角度に調整される場合には、当該隙間を大きく遮蔽すべく機能し、各第１の風向調整板（１２，１３）の回動量が大きく風向きを小角度に調整される場合には、当該隙間を小さく遮蔽すべく機能する。このため、当該隙間を通して吹出される直進方向の空気流は、各第１の風向調整板（１２，１３）の回動量に応じて規制され、各第１の風向調整板（１２，１３）にて指向された風向きの変更を大幅に抑制することができる。また、当該第２の風向調整板（１５）は、大きく回動した場合には、上記した隙間遮蔽機能の低下に起因して、各第１の風向調整板（１２，１３）と同様に配風機能を発揮する。
【００１８】
本発明に係る車室内用空気吹出装置においては、当該第１および第２の風向調整板（１３，１５）の回動中心は当該第１および第２の両風向調整板（１３，１５）の間の空間内に位置させて、当該第１および第２の風向調整板（１３，１５）が筒体の軸線に対して互いに略平行となるときの当該第１および第２の風向調整板（１３，１５）の筒体の下流側への突出量を略同じになるように構成していることから、当該第１の風向調整板（１３）が回動するスペース内に、より大きな当該第２の風向調整板（１５）を配置することができて、これにより、当該第２の風向調整板（１５）の下流側への突出量が当該第１の風向調整板（１３）の下流側への突出量と同じ程度にまで大きくなることから、当該第２の風向調整板（１５）による配風効果と遮蔽効果を一層高めることができる。また、本発明に係る車室内用空気吹出装置においては、前記筒体に前記各風向調整板（１２，１３，１５）を支持して円筒状のインナレジスタを構成し、同インナレジスタを、円筒状のリテーナ内に嵌合して同リテーナに嵌合された状態で円周方向に間欠的に回転可能に受承するように構成すれば、インナレジスタをリテーナ内にて円周方向へ間欠的に回転して位置調整することができる。かかる構成によれば、インナレジスタをリテーナ内にて円周方向へ間欠的に回転して位置調整することにより、風向きを上方向、下方向、右方向および左方向等、四方八方に選択的に配風調整することが可能となる。
【発明を実施するための最良の形態】
【００１９】
本発明は、車室内のインストルメントパネル等に設置されて、センタレジスタ、サイドレジスタ、ロアレジスタ、サイドデフロスタ等として機能する車室内用空気吹出装置に関する。図１〜図４には、本発明に係る車室内用空気吹出装置の一実施形態であるレジスタを示している。図１は当該レジスタの斜視図、図２は当該レジスタの正面図、図３は当該レジスタの背面図、図４は当該レジスタの側面図である。また、図５〜図１０は、当該レジスタの所定の各部位を切断した切断端面図である。
【００２０】
当該レジスタは、筒体であるケース１１、２枚の第１の風向調整板である第１フィン１２および第２フィン１３、これら両フィン１２，１３を互いに連結する連結ロッド１４、および、１枚の第２の風向調整板である第３フィン１５を備えるとともに、ケース１１を嵌合する円筒状のリテーナ１６、および、ケース１１の先端部に嵌合する円環状のカバー１７を備えている。
【００２１】
ケース１１は、所定長さを有する円筒状のケース本体１１ａを主体とし、その先端側の開口部は空気吹出口を構成し、その後端側の開口部は空気導入口を構成する。ケース本体１１ａの後端側の開口部には、その縁部から延びる円弧状の支持アーム１１ｂが形成されていて、支持アーム１１ｂの長さ方向の中央部、換言すれば、ケース本体１１ａの中心軸線上の部位が支持部１１ｃに形成されている。支持部１１ｃには、後方に開口する嵌合孔１１ｄが形成されている（図５、図６を参照）。
【００２２】
第１フィン１２は、外周形状が略楕円形状で平板状を呈しているもので、略楕円形状で平板状のフィン本体１２ａと、フィン本体１２ａの背面側の中央部上方に突設されている連結アーム１２ｂと、フィン本体１２ａの外周縁部における長径側の左右の先端部に突設されている左右一対の支持軸１２ｃを備えている（図５〜図７を参照）。
【００２３】
第２フィン１３は、第１フィン１２と同様に、外周形状が略楕円形状で段付きの平板状を呈しているもので、略楕円形状で平板状の段付きのフィン本体１３ａと、フィン本体１３ａの背面側の中央部上方に突設されている連結アーム１３ｂと、フィン本体１３ａの外周縁部における長径側の左右の先端部に突設されている左右一対の支持軸１３ｃを備えている。第２フィン１３のフィン本体１３ａにおける図示上方側の表面部位は、背面側に窪む凹部１３ａ1に形成されている。当該凹部１３ａ1は、第１フィン１２のフィン本体１２ａにおける図示下方側部位の背面が嵌合して重合する形状に形成されている（図５、図８、図９を参照）。
【００２４】
第１フィン１２および第２フィン１３においては、右側の各支持軸１２ｃ，１３ｃをケース１１の内周面に設けた支持孔に回転可能に支持し、かつ、左側の各支持軸１２ｃ，１３ｃを回転可能に支持したサポート１８ａを、ケース本体１１ａの内周面の一部に設けた嵌合凹所１１ｄに嵌合した状態で、ケース１１内に回動可能に配置されている。また、第１フィン１２および第２フィン１３は、各連結アーム１２ｂ，１３ｂを連結ロッド１４にて連結することにより、互いに連動して回動するように構成されている。このように支持された第１フィン１２および第２フィン１３は、それらの図示下方側と上方側にて一部嵌合して重合し得る。
【００２５】
本発明における第２の風向調整板である第３フィン１５は、第１フィン１２および第２フィン１３と同様、外周形状が略楕円形状で平板状を呈するものであり、略楕円形状で平板状のフィン本体１５ａの表面側にはその左右の先端部に、固定用アーム１５ｂ，１５ｃがその表面に対して垂直状に突設されている。各固定用アーム１５ｂ，１５ｃは、その先端部を第２フィン１３における左右の外向フランジ部の内側面に固定することによって、第２フィン１３に固定されている。第３フィン１５は、第２フィン１３に固定された状態で、第２フィン１３と一体にケース１１内に配置されている。第３フィン１５のこの固定状態にあっては、第２フィン１３の背面とは所定の間隔を保持して平行状態に位置し、第２フィン１３と同一の回動中心を中心として、第２フィン１３と一体的に同量だけ回動する（図５、図６、図８、図９を参照）。
【００２６】
第１フィン１２、第２フィン１３および第３フィン１５が配置された状態のケース１１は、レジスタとして機能する。本発明においては、これをインナレジスタと称している。当該インナレジスタは、リテーナ１６の円筒状本体１６ａ内に嵌合されてリテーナ１６内に組付けられていて、ケース本体１１ａにおける先端側の開口部の外周縁には、円環状のカバー１７が嵌合されている。カバー１７は、ケース本体１１ａの先端側の開口部を、空気吹出口に形成する。すなわち、カバー１７は、当該レジスタの空気吹出口を構成している。
【００２７】
リテーナ１６は、円筒状のリテーナ本体１６ａを主体とするもので、先端側の開口部は全面開口していて、ケース１１が内孔内に嵌合可能になっている。また、リテーナ本体１６ａの後端側の開口部は、ハニカム状の大目の網体１６ｂにて覆蓋されているもので、網体１６ｂの中央部には支持部１６ｃが形成されている。支持部１６ｃは、先端側に突出する突起部１６ｄを備え、ケース１１が嵌合した際、ケース１１が有する支持部１１ｃの嵌合孔１１ｄに嵌合して、ケース１１を円周方向に回転可能に支持する（図５、図６、図８を参照）。また、リテーナ本体１６は、その内孔内の長手方向の中間部に環状の段部１６ｅを備えている。段部１６ｅは、前側端面の全周が連続する凹凸形状に形成されている。段部１６ｅの端面は、リテーナ本体１６ａの内孔内にケース１１が嵌合された際、ケース本体１１ａの後端面に組付けたスプリング１８ｂの各脚部を弾撥的に受承して支持し、ケース１１の円周方向への間欠的な回転を許容する（図１０を参照）。
【００２８】
本発明に係る当該レジスタは、例えば、車室内のインストルメントパネルに組付けられて、リテーナ本体１６ａの後端側の開口部にて、インストルメントパネルに臨む空気調和装置における空気誘導ダクトの先端部に接合される。かかる組付け状態の当該レジスタは、そのカバー１７、ケース１１の先端側、第１フィン１２および第２フィン１３を車室内に露出させた状態で位置し、配設された位置に基づいて、センタレジスタ、サイドレジスタ、ロアレジスタ、サイドデフロスタ等として機能する。
【００２９】
当該レジスタにおいては、各フィン１２，１３，１５の回動量を調整することにより、従来のこの種形式のレジスタと同様に、ケース１１のケース本体１１ａにおける先端側の開口部（当該レジスタの空気吹出口）を遮蔽して、空気吹出口からの空気流の吹出しを遮断する遮断機能（図１１を参照）、および、空気吹出口を開放して空気吹出口からの空気流の吹出し方向を所望の方向に指向させる配風機能（図１２、図１３を参照）を発揮させることができる。
【００３０】
図１１は、当該レジスタの空気吹出口が、各フィン１２，１３、１５にて遮蔽されている状態を示すもので、同図（ａ）は当該レジスタの正面図、同図（ｂ）は当該レジスタの図５に対応する縦断面図である。図１３は、当該レジスタの空気吹出口が、各フィン１２，１３、１５にて、全開状態に開放されている状態を示すもので、同図（ａ）は当該レジスタの正面図、同図（ｂ）は当該レジスタの図５に対応する縦断面図である。図１２は、当該レジスタの空気吹出口が、各フィン１２，１３、１５にて、全閉と全開の中間の状態に開放されている状態を示すもので、同図（ａ）は当該レジスタの正面図、同図（ｂ）は当該レジスタの図５に対応する縦断面図である。
【００３１】
当該レジスタにおいては、図１１に示すように、第１フィン１２および第２フィン１３（本発明に係る第１の風向調整板）を、ケース１１の軸線に対して略直交する互いに直列状態に回動して、ケース本体１１ａにおける先端側の開口部（空気吹出口）を閉鎖する回動態様を採ることができる。かかる回動態様により、第１フィン１２および第２フィン１３は、リテーナ１６およびケース１１内を通して導出される空気流を遮断する風遮断機能を発揮する。第１フィン１２および第２フィン１３が空気流を遮断する態様にあっては、第３フィン１５（本発明に係る第２の風向調整板）は、第２フィン１３の背面側にて、同フィン１３とは所定間隔を保持した状態で並列している。
【００３２】
第１フィン１２および第２フィン１３の風遮断態様においては、これら両フィン１２，１３のいずれかをケース１１のケース本体１１ａの内孔側へ押動することができる。これら両フィン１２，１３のいずれかを押動すれば、これら両フィン１２，１３は連動して回動して、ケース１１の軸線に対して平行する方向へ漸次回動して、空気吹出口を漸次開放する。両フィン１２，１３が最大限回動して、両フィン１２，１３がケース１１の軸線に対して略平行する全開状態となり（図１３を参照）、両フィン１２，１３が最大限回動する途中では、両フィン１２，１３がケース１１の軸線に対して傾斜する開放状態となる（図１２を参照）。両フィン１２，１３の回動途中では、第２フィン１３の背面に位置する第３フィン１５は、第２フィン１３の背面側にて所定の間隔を保持して平行状態に位置している。
【００３３】
第１フィン１２および第２フィン１３による風遮断態様では、当該レジスタの空気吹出口が全閉状態であり、全閉状態の両フィン１２，１３を漸次回動させることにより、当該レジスタの空気吹出口は漸次開放されて、空気流（風）が吹出し可能となる。両フィン１２，１３の最大限の回動状態では、当該レジスタの空気吹出口は全開する状態となる。この間、当該レジスタの空気吹出口から吹出される空気流（風）は、第１フィン１２、第２フィン１３および第３フィン１５の傾斜状態に起因して、風向きおよび風量を調整される。このため、乗員は、第１フィン１２、第２フィン１３、および第３フィン１５を適宜回動させることにより、当該レジスタの空気吹出口から吹出される空気流を所望の方向の風向きとし、かつ、所望の風量とすることができる。
【００３４】
しかして、当該レジスタにおいては、第１の風向調整板である第１フィン１２および第２フィン１３は、当該レジスタの空気吹出口を全閉している閉鎖状態から開放方向に回動させると、第１フィン１２は両支持軸１２ｃ，１２ｃを中心に回動し、かつ、第２フィン１３は両支持軸１３ｃ，１３ｃを中心に回動する。以下では、第１フィン１２が両支持軸１２ｃ，１２ｃを中心に回動する場合の回動支点を回動中心Ａ1と称するとともに、第２フィン１３が両支持軸１３ｃ，１３ｃを中心に回動する場合の回動支点を回動中心Ａ２と称し、かつ、これら各回動中心Ａ1，Ａ2を各図面に明示する。また、これの回動中心Ａ1，Ａ2を結ぶ軸線も第２フィン１３の回動中心である。当該回動中心は、第２フィン１３のフィン本体１３ａと第３フィン１５のフィン本体１５ａの間、すなわち、第２フィン１３と第３フィン１５が形成する空間内にあり（図９を参照）、図１３に示すように、第２フィン１３と第３フィン１５がケース１１の軸線に対して互いに略平行となるときの第２フィン１３のフィン本体１３ａと第３フィン１５のフィン本体１５ａのケース１１の下流側への突出量が略同じになるように構成されている。
【００３５】
ところで、第１フィン１２が回動中心Ａ1を中心に回動し、これに連動して、第２フィン１３が回動中心Ａ2を中心に回動する場合、第２フィン１３の先端縁はその回動量に応じて、ケース１１のケース本体１１ａの内壁面から漸次離間して、その先端縁とケース本体１１ａの内壁面間に隙間Ｂ1を形成する。当該隙間Ｂ1は、ケース本体１１ａ内から導出される空気流を当該レジスタの空気吹出口から吹出すが、当該空気流は、ケース本体１１ａの内壁面に起因する風向調整機能によって、第２フィン１３の背面側の風向調整機能を受けることなく、ケース本体１１ａの軸線に沿って直進する空気流となり、直進する空気流は、第１フィン１２および第２フィン１３によって指向された空気流と衝突して、指向された空気流の同方向への流れを大きく妨げ、調整された風向きを大幅に変更させるという問題を引き起こすことになる。従って、この種形式のレジスタにおいては、当該隙間Ｂ1から吹出す直進する空気流の発生を極力抑制することが要請させる。当該レジスタにおいては、このような要請に対処すべく、第２の風向調整板である第３フィン１５を備える構成としている。
【００３６】
第３フィン１５は、第１フィン１２および第２フィン１３がケース本体１１ａの軸線に対して略直交する直列状態にあって、当該レジスタの空気吹出口を閉鎖している場合には、固定されている第２フィン１３の背面側にて、これとは所定間隔を保持した平行状態に位置している。このため、第３フィン１５は、第１フィン１２および第２フィン１３の回動時には、第２フィン１３と一体に、第２フィン１３の回動中心Ａ2を中心に同フィン１３とは平行状態を保持して回動する。この結果、第３フィン１５は、第２フィン１３と同様に、その先端縁が回動量に応じてケース本体１１ａの内壁面から漸次離間して、その先端縁とケース本体１１ａの内壁面間に隙間Ｂ2を形成する。
【００３７】
この場合、第３フィン１５は、第２フィン１３の背面側にて所定の間隔を保持していることから、第３フィン１５の先端縁がケース本体１１ａの内壁面との間に形成する隙間Ｂ2は、第２フィン１３と同一回動量（同一回動角度）の場合には、第２フィン１３の先端縁がケース本体１１ａの内壁面との間に形成する形成する隙間Ｂ1に比較して極めて小さいものとなる（図１２を参照）。
【００３８】
このため、第３フィン１５は、第１フィン１２および第２フィン１３がケース１１のケース本体１１ａの軸線に対して平行な並列状態になるまでの間、第２フィン１３の先端縁とケース本体１１ａの内壁面間に形成される隙間Ｂ1を遮蔽すべく機能する。第３フィン１５の隙間Ｂ1を遮蔽する機能は、第１フィン１２および第２フィン１３の回動初期であって回動量が小さい場合（回動角度小）には大きくて、当該隙間Ｂ1をほぼ遮蔽し、第１フィン１２および第２フィン１３の回動量が大きく（回動角度大）なるのに応じて、当該隙間Ｂ1に対する遮蔽機能が漸次低下する。
【００３９】
第２フィン１３の先端縁とケース本体１１ａの内壁面間に形成される隙間Ｂ1は、ケース本体１１ａの内壁面の作用により、空気吹出口から吹出される空気流（風）を直進すべく指向させ、第１フィン１２および第２フィン１３にて指向された空気流と衝突して、空気流の同方向への流れを大きく妨げ、調整された風向きを大幅に変更すべく作用する。
【００４０】
しかしながら、当該レジスタにおいては、上記したように、第３フィン１５が、第１フィン１２および第２フィン１３の回動量に応じて当該隙間Ｂ1を、回動角度が小さくて風向きを大きく調整される場合には大きく遮蔽し、回動角度が大きく風向きを小さく調整される場合には小さく遮蔽すべく機能する。このため、当該隙間Ｂ1を通して吹出される空気流は、第１フィン１２および第２フィン１３の回動量に応じて規制され、第１フィン１２および第２フィン１３にて指向された風向きの変更を大幅に抑制することができる。また、第３フィン１５は大きく回動した場合には、上記した機能の他に、第１フィン１２および第２フィン１３と同様に、配風機能をも発揮する。当該レジスタにおいては、特に、第３フィン１５は第２フィン１３との配置関係から、その下流側への突出量を第２フィン１３の下流側への突出量と同じ程度にまで大きくしていることから、第３フィン１５による配風効果と遮蔽効果を一層高めることができる。
【００４１】
本発明に係るレジスタにおいては、ケース１１に各フィン１２，１３，１５を支持してインナレジスタとし、当該インナレジスタをリテーナ１６の内孔内に嵌合して組付けて、当該インナレジスタをリテーナ１６に嵌合された状態で、ケース１１が円周方向に間欠的に回転可能に受承される構成としている。このため、ケース１１をリテーナ１６内にて円周方向へ適宜間欠的に回転して位置調整することにより、当該インナレジスタの空気吹出口から吹出される空気流の風向きを上方向、下方向、右方向および左方向等、四方八方に選択的に配風調整することができる。
【図面の簡単な説明】
【００４２】
【図１】本発明に係る空気吹出装置の一実施形態であるレジスタの斜視図である。
【図２】同レジスタの正面図である。
【図３】同レジスタの背面図である。
【図４】同レジスタの側面図ある。
【図５】同レジスタの図２における矢印５−５線で切断した端面図である。
【図６】同レジスタの図３における矢印６−６線で切断した端面図である。
【図７】同レジスタの図２における矢印７−７線で切断した端面図である。
【図８】同レジスタの図２における矢印８−８線で切断した端面図である。
【図９】同レジスタの図２における矢印９−９線で切断した端面図である。
【図１０】同レジスタの図２における矢印１０−１０線で切断した端面図である。
【図１１】同レジスタの空気吹出口を遮蔽した状態の正面図（ａ）、および、図６に対応する端面図（ｂ）である。
【図１２】同レジスタの空気吹出口を全閉と全開の中間の状態に開放した状態の正面図（ａ）、および、図６に対応する端面図（ｂ）である。
【図１３】同レジスタの空気吹出口を全開の状態の開放した状態の正面図（ａ）、および、図６に対応する端面図（ｂ）である。
【符号の説明】
【００４３】
１１…ケース、１１ａ…ケース本体、１１ｂ…支持アーム、１１ｃ…支持部、１１ｄ…嵌合孔、１１ｅ…嵌合凹所、１２…第１フィン、１２ａ…フィン本体、１２ｂ…連結アーム、１２ｃ…支持軸、１３…第２フィン、１３ａ…フィン本体、１３ａ1…凹部、１３ｂ…連結アーム、１３ｃ…支持軸、１４…連結ロッド、１５…第３フィン、１５ａ…フィン本体、１５ｂ，１５ｃ…固定用アーム、１６…リテーナ、１６ａ…リテーナ本体、１６ｂ…網体、１６ｃ…支持部、１６ｄ…突起部、１６ｅ…段部、１７…カバー、１８ａ…サポート、１８ｂ…スプリング、Ａ1…第１フィンの回動中心（支持軸１２ｃ，１２ｃ）、Ａ２…第２フィンの回動中心（支持軸１３ｃ，１３ｃ）、Ｂ１…第２フィンが形成する隙間、Ｂ２…第３フィンが形成する隙間。
【図１】
0004767624.tif 000002
【図２】
0004767624.tif 000003
【図３】
0004767624.tif 000004
【図４】
0004767624.tif 000005
【図５】
0004767624.tif 000006
【図６】
0004767624.tif 000007
【図７】
0004767624.tif 000008
【図８】
0004767624.tif 000009
【図９】
0004767624.tif 000010
【図１０】
0004767624.tif 000011
【図１１】
0004767624.tif 000012
【図１２】
0004767624.tif 000013
【図１３】
0004767624.tif 000014